(57)【要約】      （修正有）【課題】現場の状況に合わせて最適な位置に取り付けることができる支柱カバーを提供する。【解決手段】建築現場等で使用される支柱５を養生するための支柱カバー１であって、支柱５の外周面５ａを覆うように形成されたカバー部と、カバー部から支柱５に向けて突出するアーム部２２、およびこのアーム部２２の先端に設けられ、支柱５の外周面５ａを掴むクランプ部２１、を有する把持部とを備えている。また、アーム部２２は、支柱５の外周面５ａに突設されたくさび受け６の突出長さよりも長く形成されている。【選択図】図４
0003206913.tif 000002
【実用新案登録請求の範囲】
【請求項１】
建築現場等で使用される支柱を養生するための支柱カバーであって、
前記支柱の外周面を覆うように形成されたカバー部と、
前記カバー部から前記支柱に向けて突出するアーム部、およびこのアーム部の先端に設けられ、前記支柱の外周面を掴むクランプ部、を有する把持部と、
を備えたことを特徴とする支柱カバー。
【請求項２】
前記アーム部は、前記支柱の外周面に突設されたくさび受けの突出長さよりも長く形成されていることを特徴とする請求項１に記載の支柱カバー。
【考案の詳細な説明】
【技術分野】
【０００１】
本考案は、建築現場等で使用される仮設足場を養生するための支柱カバーに関する。
【背景技術】
【０００２】
工事現場、或いは建築物の修理・改築現場等では、建築物の外周の全部または一部を覆うようにして足場が仮設され、この足場を用いて建築物の外装工事等が行われる。また、建築現場では、その周囲を囲うようにしてフェンスが仮設され、部外者の進入を防止している。これらの足場やフェンスには、上下方向に延びる複数の支柱が建築物の周囲に沿って間隔を空けて配設され、隣り合う支柱間に足場板やフェンス板が組み立てられていく。
【０００３】
上述した支柱は、歩行者が通行する歩行帯に面して設置されたりすることもある。或いは、建築物の出入り口に面して設置されることもある。そのため、歩行者から見て外観を損なわないために、或いは、歩行者や作業者を支柱から保護するために、この支柱を養生するための支柱カバーが使用されている。
【０００４】
特許文献１で開示される支柱には、支柱の外周面の所定の位置に予め保持金具が溶接で取り付けられており、支柱カバーの裏側には、係止部が設けられている。この係止部を固定金具に上側から引っ掛けるようにして取り付けることで、支柱カバーが支柱に取り付けられる。
【０００５】
また、足場用の支柱には、上述した足場板を組み付けるためのくさび受け（コマ、くさび緊結部）が予め設けられている（例えば、特許文献２参照）。このくさび受けは、上下方向に所定寸法で間隔を空けて設けられるものであり、この状態で支柱が市販されている。従来では、このくさび受けを上述した保持金具の代わりに利用して、支柱カバーを引っ掛けるものがある。
【先行技術文献】
【特許文献】
【０００６】
【特許文献１】特開２００５−１３９６８９号公報
【特許文献２】特開２００２−７０３０４号公報
【考案の概要】
【考案が解決しようとする課題】
【０００７】
しかしながら、特許文献１の技術のように支柱に保持金具が予め取り付けられている構造では、支柱カバーの取付位置が保持金具の位置によって決まってしまう。そのため、その現場の状況に合わせて支柱カバーをもっと上側または下側に取り付けたい場合に対応ができない。その結果、支柱カバーで完全に覆えない箇所ができてしまい、その箇所を別途養生する手間が生じていた。足場用のくさび受けを利用する方法についても、くさび受けの位置によって取付位置が決まってしまうので、同様の問題が生じる。
【０００８】
本考案は、上述した事情を鑑みてなされたものであり、現場の状況に合わせて最適な位置に取り付けることができる支柱カバーを提供するためのものである。
【課題を解決するための手段】
【０００９】
上述課題を解決するため、本考案に係る支柱カバーは、建築現場等で使用される支柱を養生するためのものであり、前記支柱の外周面の一部を覆うように形成されたカバー部と、前記カバー部から前記支柱に向けて突出するアーム部、およびこのアーム部の先端に設けられ、前記支柱の外周面を掴むクランプ部、を有する把持部と、を備えたことを特徴とする。
【００１０】
また、前記アーム部は、前記支柱の外周面に突設されたくさび受けの突出長さよりも長く形成されている。
【考案の効果】
【００１１】
本考案の支柱カバーによれば、支柱の外周面を把持部で掴んで組み付けられるので、従来技術のような保持金具を取り付ける必要がない。また、支柱の外周面であればどこでも掴んで取り付けることができるので、現場の状況に合わせて最適な位置に取り付けることができる。
【００１２】
また、従来のように保持金具やくさび受けに係止する支柱カバーでは、その取付位置や寸法が各現場でそれぞれ決まってしまうため、支柱カバーを他の現場で使い回すことができない。しかしながら、本考案の支柱カバーは、取付位置に自由度があるため、他の現場でもそのまま使用することができる。
【００１３】
さらに、前記アーム部は、前記支柱の外周面に突設されたくさび受けの突出長さよりも長く形成されているので、くさび受けが取り付けられた支柱（一般的に多く使用されている）にも、カバー部とくさび受けとが干渉することなく取り付けることができる。
【図面の簡単な説明】
【００１４】
【図１】本発明の実施の形態に係る支柱カバーの表側から見た状態を示す全体斜視図である。
【図２】図１のＡ−Ａ断面図である。
【図３】支柱カバーを裏側から見た状態を示す拡大斜視図である。
【図４】支柱カバーを支柱に取り付けた状態を概略で示す右側面図であって、カバー部の右側半分を切り欠いて示したものである。
【考案を実施するための形態】
【００１５】
以下、本考案の実施形態に係る支柱カバー１について、詳細に説明する。なお、以下の説明で使用する、上下、左右、表側（前側）、裏側（後側）などの方向は、利用者側から見た方向であって、図１〜図４で示す方向をいうものとする。
【００１６】
支柱カバー１は、図１および図２に示すように、上下方向に長尺に形成されたカバー部１０と、このカバー部１０の裏面側に取り付けられる複数の把持部２０とで構成されている。この支柱カバー１は、所定の長さで形成されており、現地での支柱５（図４参照）の長さに合わせて切断したり継ぎ足したりして使用することができる。
【００１７】
カバー部１０は、図２に示すように、断面形状が略半円形状に形成されている。この半円形状の外周面が表面１０ａになり、歩行者等に向けられる面である。また、半円形状の内周面が裏面１０ｂになり、支柱５の外周面５ａと対向する面になる。このカバー部１０は、例えば、黄色などに着色されており、歩行者等に注意を与える機能も有している。
【００１８】
このカバー部１０は、樹脂材料で一体に形成されたものであり、ある程度の弾性を有する素材が使用されている。この弾性は、カバー部１０の厚みを変えることで最適な弾性力を得ることができる。
【００１９】
なお、カバー部１０の略半円形状は、支柱５の外周面５ａの一部を覆うための一例であり、他の形状（例えば、多角形状、楕円形状）であってもかまわない。
【００２０】
カバー部１０の裏面側１０ｂには、図２および図３に示すように、左右方向に間隔を空けて上下方向に延びる２つの突条部１３、１３と、これらの突条部１３、１３の間に位置する取付面部１２とが形成されている。突条部１３、１３は、裏面側１０ｂからさらに後側に向けて突出している。この突条部１３、１３の左右方向の間隔は、詳細は後述する回り止め部２３の幅方向の寸法と同等か若干大きめに形成されている。
【００２１】
取付面部１２は、略平坦な面として形成されている。この取付面部１２には、表面側１０ａと裏面側１０ｂとを貫通する取付穴１１が形成されている。この取付穴１１は、図１に示すように、上下方向に所定の間隔を空けて複数設けられており、詳細は後述する取付具３０が挿通されるようになる。
【００２２】
把持部２０は、図２および図３に示すように、回り止め部２３と、この回り止め部２３から裏側に向けて延びるアーム部２２と、このアーム部２２の先端に設けられたクランプ部２１とで構成されている。この把持部２０は、樹脂材料などで一体に形成されている。なお、この把持部２０は、例えば、クランプ部２１を別体で構成することもでき、クランプ部２１を適宜交換できるようにしてもよい。
【００２３】
回り止め部２３は、図３に示すように、略長方形に形成されている。この長方形の幅方向が上述した２つの突条部１３、１３の間に填まり込むようにして取り付けられる。アーム部２２は、カバー部１０の裏面１０ｂからクランプ部２１までの長さを調整するために設けられている。また、回り止め部２３およびアーム部２２には、回り止め部２３の表側から裏側に向けてねじ穴加工（図示せず）がされている。
【００２４】
クランプ部２１は、支柱５の外周形状に合わせて円弧状に形成されており、その先端部２１ａが樹脂材料の弾性によって左右に開くことができるようになっている。このクランプ部２１は、図４に示すように、支柱５に向けて側面から押し込むようにして取り付けられ、弾性によって支柱５を把持するようになる。逆に、クランプ部２１を取り外す際には、側面から引き抜くようにする。
【００２５】
アーム部２２の長さは、支柱カバー１のカバー部１０に人や物が当たった時に、カバー部１０の弾性によってカバー部１０が支柱５に突き当たらないような寸法に形成されている。
また、図４に示すように、支柱５の側面には、足場を組むときに使用されるくさび受け６が突出している。このくさび受け６は、支柱５の周方向に９０度の間隔を空けて設けられており、かつ、上下方向に所定の間隔を空けて配置されている。そのため、アーム部２２の長さは、どの角度で支柱カバー１を取り付けたとしても、このくさび受け６とカバー部１０とが干渉しない長さに形成している。
【００２６】
把持部２０は、カバー部１０の取付穴１１の位置に合わせて組み付けられる。より詳細には、複数ある取付穴１１のうち、最適な位置の２つ或いはそれ以上の取付穴１１が選択される。取付は、ねじ等の取付具３０を取付穴１１に挿通させ、回り止め部２３の表側に空けられたねじ穴にこの取付具３０を螺合させることで行われる。このとき、回り止め部２３の側面が突条部１３と当接し、把持部２０が取付具３０と一緒に供回りしないようになる。なお、把持部２０は、ねじ止め以外の構造、例えば、ピンを打ち込んで固定する構造であってもよい。
【００２７】
本発明の支柱カバー１では、支柱５の外周面を把持部２０（クランプ部２１）で掴んで組み付けられるので、従来技術のような保持金具を支柱に取り付ける必要がない。また、支柱５の外周面５ａであればどこでも掴んで取り付けることができるので、現場の状況に合わせて最適な位置に取り付けることができる。
【００２８】
また、従来のように保持金具を支柱に取り付けるものやくさび受けを利用するものでは、支柱カバーの取付位置や寸法が各現場でそれぞれ決まってしまうため、支柱カバーを他の現場で使い回すことができない。しかしながら、本考案の支柱カバー１は、取付位置に自由度があるため、他の現場でもそのまま使用することができる。
【００２９】
さらに、アーム部２２は、支柱５の外周面５ａに突設されたくさび受け６の突出長さよりも長く形成されているので、くさび受け６が取り付けられた支柱５（一般的に多く流通している）にもカバー部１０が干渉することなく取り付けることができる。
【００３０】
また、クランプ部２１は、支柱５の外周面５ａを弾性によってクランプする構造であるため、着脱が簡単であり、支柱５の養生に手間がかからない。
【００３１】
以上、本考案に係る支柱カバー１について述べたが、本考案は既述の実施形態に限定されるものではなく、本考案の技術思想に基づいて各種の変形および変更が可能である。
例えば、取付穴１１を上下方向に延びる長穴にすることで、把持部２０の取付位置をこの長穴の寸法だけ調整することができる。これにより、支柱カバー１の取り付け自由度がさらに高くなる。
【００３２】
また、本実施の形態の支柱カバー１は、足場やフェンスで使用される支柱に使用するものとして説明しているが、工事現場で使用される上下方向に延びるように立てられたポール状のものであれば、把持部２０でその外周を掴んで固定することができ、同様の作用・効果を奏することができる。
【符号の説明】
【００３３】
１  支柱カバー
５  支柱
５ａ  支柱の外周面
６  くさび受け
１０  カバー部
１０ａ  表面
１０ｂ  裏面
１１  取付穴
１２  取付面部
１３  突条部
２０  把持部
２１  クランプ部
２２  アーム部
２３  回り止め部
３０  取付具
【図１】
0003206913.tif 000003
【図２】
0003206913.tif 000004
【図３】
0003206913.tif 000005
【図４】
0003206913.tif 000006